(57)【要約】【課題】従来の空気調和機の室外機は、本体を運搬する際に移動距離が長いか又は階段での運搬作業は底板を持って運搬しているが、運搬する際に不安定な状態での運搬となり、かなり無理な姿勢の状態で運搬作業し、運搬作業性に問題があった。【解決手段】この発明は空気調和機本体の外郭を底板と、前面右側パネルと、前面左側サポートと、前面ガードと、背面左側パネルと、背面右側サポート及び天板とから構成し、前記底板の左右隅部に運搬用の取手を設けた構成とし、運搬作業性、及び運搬作業安全性の高い空気調和機の室外機を提供する。【選択図】      図４
2004177019.tif 000002
【特許請求の範囲】
【請求項１】
空気調和機本体の外郭を底板と、前面右側パネルと、前面左側サポートと、前面ガードと、背面左側パネルと、背面右側サポート及び天板とから構成し、前記底板の左右隅部に運搬用の取手を設けたことを特徴とする空気調和機の室外機。
【請求項２】
運搬用の取手を凹凸形状の絞り部を組み合わせて直線的又はＬ字形に設けたことを特徴とする請求項１記載の空気調和機の室外機。
【請求項３】
運搬用の取手を手先が入るヌキ穴形状の取手を設けたことを特徴とする請求項１記載の空気調和機の室外機。
【発明の詳細な説明】
【０００１】
【発明の属する技術分野】
この発明は、底板に取手を設けた空気調和機の室外機に関するものである。
【０００２】
【従来の技術】
従来の空気調和機の室外機においては、運搬時のフォークリフト支持面を同一面としたことで、平行が保たれ安定した状態での運搬が可能になったが、人間の手によって安定した状態で運搬されることについては記述されていなかった。（例えば、特許文献１参照。）
【０００３】
【特許文献１】
特開２００１−１６５４７２号公報（第２頁、第３頁、図１、図２）
【０００４】
【発明が解決しようとする課題】
従来の空気調和機の室外機については、室外機本体１を運搬する際に移動距離が長い場合又は運搬作業をビル等の階段での作業となる場合に、室外機底板２を持って運搬しているが、室外機底板２に取手がないため運搬する際に不安定な状態で運搬していることから、運搬作業性が困難となり、作業者の安全性に問題があった。
【０００５】
この発明は、上記課題を解決するもので、室外機底板２に取手を設けることで、運搬作業性を向上させ運搬作業の安全性の高い空気調和機の室外機を提供することを目的とする。
【０００６】
【課題を解決するための手段】
この発明の空気調和機の室外機は、空気調和機本体の外郭を底板と、前面右側パネルと、前面左側サポートと、前面ガードと、背面左側パネルと、背面右側サポート及び天板とから構成し、前記底板の左右隅部に運搬用の手取手を設けたものである。
【０００７】
【発明の実施の形態】
実施の形態１．
以下、この発明の実施の形態１における空気調和機の室外機について説明する。図１ないし図５は、この発明における空気調和機の室外機の構成図であり、図１は空気調和機室外機の正面図、図２は空気調和機室外機の左側面図、図３は空気調和機室外機の右側面図、図４は空気調和機室外機の底面図、図５は図４の要部拡大断面図である。
【０００８】
図において、空気調和機の室外機本体１は圧縮機、熱交換器、送風機および電気品等（いずれも図示されていない）を内臓している。この本体の外郭２は、底板３と、固定用サイド取手４ａを備えている前面右側パネル４と、前面左側サポート５と共に空気調和機前面部を構成している送風面をカバーする前面ガード６と、背面左側パネル７、背面右側サポート８、天板９とから構成されている。１０は前記底板３にそれぞれねじ締め固定された左右一対の据付用固定脚、１１は前記底板２の左右両端部近傍にそれぞれ設けた、一対で挿入可能な幅及び指先が引っ掛かる深さを持つ形状の運搬用の取手で、底板面を凹部絞り部１１ａと凸絞り部１１ｂとを底板３の長手方向と平行になるよう直線形に掌で把め支えられるよう成形している。
【０００９】
次に動作について説明する。図６は空気調和機の室外機をビル等の階段上を運搬する状態を示す運搬作業概略図である。室外機本体１を運搬する際に移動距離が長い場合は、室外機本体１の固定取手４ａを使用せず、室外機本体１に膝が当たらないよう底板３を持って運搬している。また、階段１２についても下側の人が底板３を持って室外機本体１の側面に肩を当てて支え、上側の人は底板３を持って運搬している。
【００１０】
その際、室外機機本体１は重量物であるため、運搬する場合は二人作業が基本となり、ひとりは、前面右側パネル４付近の底板３の運搬用の取手１１の凸部絞り部１１ｂを左手の指先に引っ掛け、凹部絞り部１１ａを左手の掌で把み支え、背面左側パネル８付近の底板３の凸部絞り部１１ｂを右手の指先に引っ掛け、凹部絞り部１１ａを右手の掌で把み支え室外機本体１を持ち上げる。ふたり目は、前面左側サポート５付近の底板３の凸部絞り部１１ｂを右手の指先に引っ掛け、凹部絞り部１１ａを右手の掌で把み支え、背面右側サポート７付近の底板３の凸部絞り部１１ｂを左手の指先に引っ掛け、凹部絞り部１１ａを左手の掌で把み支え室外機本体１を持ち上げ二人作業で階段等を運搬する。
【００１１】
したがって、底板３に運搬用の取手１１を設けることで、移動距離が長い又は階段１２での運搬作業は、安定且つ安全に運搬することができる。
【００１２】
図７は底板２に他の取手を示す要部拡大図である。図において、第２の運搬用の取手１１の凹部絞り部１１ａと凸部絞り部１１ｂの絞り方向を底板２の短手方向と平行になるよう、かつ一対の第２の運搬用の取手１１を直列に配置し掌で把め支えられるよう成形している。
【００１３】
図８は底板２に他の取手を示す要部拡大図である。図において、第３の運搬用の取手１３をＬ字形で、かつ凹部絞り部１３ａと凸部絞り部１３ｂの絞り方向を底板２の長手方向と短手方向とに平行になるよう、かつ一対の第３の運搬用の取手１３を前記底板３の隅部に配置し掌で把め支えられるよう成形している。
【００１４】
室外機の運搬作業については、図７に示す室外機の様に前記底板３の短手方向と同じくらいの幅を持つ狭い通路で室外機本体１を運搬するにおいても、安定且つ安全に運搬することができる。
【００１５】
また、図８に示す室外機の運搬作業については、階段での運搬でも、前記底板３の短手方向と同じくらいの幅を持つ狭い通路で室外機本体１を運搬でも、いずれの場合でも、安定且つ安全に運搬することができる。
【００１６】
実施形態２．
以下、この発明の実施の形態２における室外機について説明する。図９はこの発明の実施の形態２における室外機の底板を示す平面図、図１０は図９の他の例を示す要部拡大図、図１１は同じくこの発明の実施の形態２における他の室外機の要部拡大図、図１２は図１０の要部拡大断面図である。図において、据付用固定脚１０は、前記底板３に左右一対それぞれねじ締め固定されている。第４の運搬用の取手１４は矩形状に開けられ、前記底板３の左右両端部近傍にそれぞれ設けた一対で挿入可能な幅及び指先が引っ掛かる一対抜き穴形状と成っており、底板３の長手方向と平行になるよう直線形に掌で把め支えられるよう成形している。
【００１７】
図１０は、この発明の実施の形態２における室外機底板の他の取手を示す要部拡大図で、第５の運搬用の取手１５を前記底板３の両端部の短辺方向と並列で、かつ直列に配置されている。
【００１８】
図１１は同じくこの発明の実施の形態２における他の室外機の要部拡大図である。図１０の様に図９の抜き穴形状運搬用の取手１４の位置と、底板２の長手方向から短手方向へ変更した、直列抜き穴形状運搬用の取手１５とを連続させたＬ字抜き穴形状運搬用の取手１６を底板３に形成し、抜き穴形状運搬用の取手１４と直列抜き穴形状運搬用の取手１５とで短手方向と同じくらいの幅を持つ狭い通路で室外機本体１を運搬するにおいても安定且つ安全に運搬することができる。
【００１９】
図１１の様にＬ字抜き穴形状運搬用の取手１６を設けることで複雑な運搬通路での運搬作業が、どちらでもできるようになった。
【００２０】
【発明の効果】
この発明の請求項１に関わる空気調和機の室外機は、空気調和機本体の外郭を底板と、前面右側パネルと、前面左側サポートと、前面ガードと、背面左側パネルと、背面右側サポート及び天板とから構成し、前記運搬用の取手を底板に設けた構成としたので、運搬する際の長い移動距離又は階段での運搬作業性が向上すると共に、特に、狭い階段での運搬作業を安全にすることができる効果を有する。
【図面の簡単な説明】
【図１】この発明の実施の形態１における空気調和機の室外機を示す正面図である。
【図２】この発明の実施の形態１における空気調和機の室外機を示す右側面図である。
【図３】この発明の実施の形態１における空気調和機の室外機を示す左側面図である。
【図４】この発明の実施の形態１における空気調和機の室外機の底板部を示す底面図である。
【図５】この発明の実施の形態１における空気調和機の室外機の要部拡大図である。
【図６】この発明の実施の形態１における空気調和機の室外機の運搬状態を示す概略図である。
【図７】この発明の実施の形態１における室外機底板の他の要部拡大図である。
【図８】この発明の実施の形態１における室外機底板の他の要部拡大図である。
【図９】この発明の実施の形態２における空気調和機の室外機の底板部を示す底面図である。
【図１０】この発明の実施の形態２における室外機底板の他の要部拡大図である。
【図１１】この発明の実施の形態１における室外機底板の他の要部拡大図である。
【図１２】この発明の実施の形態２における空気調和機の室外機の要部拡大図である。
【符号の説明】
１、空気調和機本体、２、本体外郭、３、底板、４、前面右側パネル、４ａ  ５、前面左側サポート、６、前面ガード、７  背面左側パネル、８  背面右側サポート、天板、１１  運搬用取手、１１ａ  凹部絞り部、１１ｂ  凸部絞り部、１３  第２の取手、１４  第３の取手、１５  第４の取手、１６  第５の取手。
【図１】
2004177019.tif 000003
【図２】
2004177019.tif 000004
【図３】
2004177019.tif 000005
【図４】
2004177019.tif 000006
【図５】
2004177019.tif 000007
【図６】
2004177019.tif 000008
【図７】
2004177019.tif 000009
【図８】
2004177019.tif 000010
【図９】
2004177019.tif 000011
【図１０】
2004177019.tif 000012
【図１１】
2004177019.tif 000013
【図１２】
2004177019.tif 000014